(57)【要約】      （修正有）【課題】投入口への指などの挿入を効果的に防止することができる安全性の高いシュレッダーを提供する。【解決手段】投入口３から投入された被裁断物を回転刃１２で裁断し屑収容箱７に排出するシュレッダー１において、投入口を、被裁断物を回転刃へと案内する案内壁１０と、案内壁に所定の間隔Ｍをあけて対向配置された固定壁１１とによって構成し、固定壁の壁面に、弾性部材４を、先端部から案内面までの距離Ｌを幼児の指の厚みよりも狭く保った状態で、突設した。幼児の指などが被裁断物に接触した状態でシュレッダー内部に引き込まれそうになった際に、弾性部材によって指を被裁断物から離反させることができる。【選択図】図２
0003154632.tif 000002
【実用新案登録請求の範囲】
【請求項１】
投入口（３）から投入された被裁断物を回転刃（１２，１２）で裁断し屑収容箱（７）に排出するシュレッダー（１）において、
前記投入口（３）を、被裁断物を前記回転刃（１２，１２）へと案内する案内壁（１０）と、該案内壁（１０）に所定の間隔（Ｍ）をあけて対向配置された固定壁（１１）とによって構成し、
該固定壁（１１）の壁面に、弾性部材（４）を、先端部から前記案内面（１０）までの距離（Ｌ）を幼児の指の厚みよりも狭く保った状態で、突設したことを特徴とするシュレッダー。
【請求項２】
前記所定の間隔（Ｍ）は、大人の指の厚みよりも大きく設定されていることを特徴とする請求項１に記載のシュレッダー。
【請求項３】
前記弾性部材（４）は、前記固定壁（１１）から垂直方向に起毛する刷毛状の部材であることを特徴とする請求項1又は請求項２に記載のシュレッダー。
【考案の詳細な説明】
【技術分野】
【０００１】
本考案は、紙やコンパクトディスク等の被裁断物を細かく裁断するためのシュレッダーに関し、特に、被裁断物の投入口に指などを入れることによる怪我を防止できるシュレッダーに関する。
【背景技術】
【０００２】
シュレッダーの投入口に、誤って指を入れることによる怪我の発生を防止するため技術として、例えば特許文献１に開示されたものがある。
特許文献１に開示の技術は、シュレッダーの投入口に人の指などの望ましくない対象物が進入するのを検知するために、投入口の近傍に人や動物の存在を検知する近接センサを設けるというものである。
【特許文献１】特開２００５−９５８９８
【考案の開示】
【考案が解決しようとする課題】
【０００３】
しかしながら、特許文献１に開示の技術には、人や動物などの望ましくないものと、裁断しようとする物とを区別して検知できる近接センサが必要である上に、センサの配設位置によっては、被裁断物を差し込む際の作業者の手などにも反応してしまい、裁断作業に支障を来す虞がある。
【０００４】
特に、被裁断物が挿入されると同時に自動的に回転刃が回転する構成のシュレッダーにおいては、被裁断物の挿入を検知するセンサが別個に必要になるので、それぞれのセンサの性能や構造が複雑化する上に、取り付け位置の調節が困難である。このため、製造コストが嵩み、商品価格が高くなるので、家庭用のシュレッダーとして普及させるには難しい。
そこで、本考案は、簡単な構造でありながら、投入口への指などの挿入を効果的に防止することができる安全性の高いシュレッダーの提供を目的とする。
【課題を解決するための手段】
【０００５】
上記課題を解決するために、本考案は、投入口から投入された被裁断物を回転刃で裁断し屑収容箱に排出するシュレッダーにおいて、前記投入口を、被裁断物を前記回転刃へと案内する案内壁と、該案内壁に所定の間隔をあけて対向配置された固定壁とによって構成し、該固定壁の壁面に、弾性部材を、先端部から前記案内面までの距離を幼児の指の厚みよりも狭く保った状態で、突設したことを特徴とするものである。
【０００６】
この場合、前記所定の間隔は、大人の指の厚みよりも大きく設定されていてもよい。
また、前記弾性部材は、前記固定壁から垂直方向に起毛する刷毛状の部材であってもよい。
【考案の効果】
【０００７】
本考案に係るシュレッダーのように、投入口から投入された被裁断物を回転刃で裁断し屑収容箱に排出する構造のものにあっては、被裁断物の先端が回転刃に到達して回転刃に巻き込まれることによって、その被裁断物に接触させるようにして連続投入した被裁断物が、既に回転刃に巻き込まれている被裁断物と共にシュレッダー内部に引き込まれ、順次円滑に裁断されていくようになっている。
【０００８】
このようなシュレッダーにおいて、請求項１に係る考案では、投入口を、被裁断物を回転刃に案内する案内壁と、案内壁に所定の間隔をあけて対向配置された固定壁とによって構成し、固定壁の壁面に弾性部材を突設したので、作業者の指やネクタイなどの裁断されるべきでないものが、被裁断物と共にシュレッダー内部に引き込まれそうになった場合に、固定壁に突設された弾性部材によって、その裁断されるべきでないものを、シュレッダー内部に引き込まれつつある被裁断物から離反させることができる。
【０００９】
特に、弾性部材の先端部と案内面との距離を、幼児の指の厚みよりも狭く設定したことによって、裁断作業中に指が被裁断物と接触状態になり、被裁断物と共にシュレッダー内部に引き込まれそうになった場合でも、指が弾性部材に当接されることによって、指と被裁断物との接触状態を解除することができるので、指がシュレッダー内部に引き込まれるのを防ぐことができる。
一方、被裁断物に固着されている裁断されるべきもの（例えば、ステープラーの芯など）については、弾性部材が弾性変形することによって、通過が許容されるので、裁断作業に支障が生ずることはない。
【００１０】
これによって、円滑な裁断作業を担保しつつ、作業者の指、又は悪戯による幼児の指が、被裁断物と共に回転刃に到達するのを防止することが可能となり、シュレッダーの投入口における怪我の発生を防止することができる。
なお、本考案において、「幼児の指の厚み」とは、満1才児程度の子供の指のサイズを考慮して設計するものとする。
【００１１】
請求項２に係る考案では、案内壁と固定壁との間の間隔を、大人の指の厚みよりも大きく設定したので、指がシュレッダー内部に引き込まれようとした際に、容易に投入口から指を引き抜くことができる。
【００１２】
請求項３に係る考案では、弾性部材を、固定壁から垂直方向に起毛する刷毛部材で構成したので、被裁断物との接触状態を刷毛先によって効果的に解除させることができる。また、刷毛先の弾性変形によって、被裁断物に固着されたもの（即ち、裁断されるべきもの）を円滑に通過させることができるので、一層円滑な裁断作業が可能となる。
【考案を実施するための最良の形態】
【００１３】
本考案の好適な実施形態について、添付図面に基づいて説明する。なお、実施形態は以下の形態に限定されるものではなく、本考案の課題を解決しうるものであれば他の態様も可能である。
【００１４】
図１は、本考案の実施形態に係るシュレッダーを示す斜視図である。
このシュレッダー１は、紙やコンパクトディスクなどのシート状の被裁断物を裁断するもので、図２に示すように、ハウジング５の上面に投入口３を設け、内部に裁断作用を行う裁断部６を設けると共に、裁断部６の下部に屑収集箱７を収容したものである。
【００１５】
シュレッダー１のハウジング５は、縦長直方体状の合成樹脂製の筺体からなり、正面には扉８が回動可能に取り付けられている。この扉８を開けば、ハウジング内の上方に形成された裁断部６の下方に、屑収集箱７が前方に引き出し可能に収容されている。
ハウジング上面には、ハウジング５の正面側から中央部に向けて滑らかな曲面をなす導入面９が形成されている。その導入面９に連続して、漏斗状に湾曲する案内壁１０が形成されている。案内壁１０の背面側には、ハウジング上面から垂下する固定壁１１が形成されている。
【００１６】
この案内壁１０と固定壁１１との間にスリット状の開口部が形成され、その開口部をもってシュレッダーの投入口３が形成されることになる。
ハウジング正面側の案内壁１０は、導入面９に載置された被裁断物を、後述する回転刃１２，１２へと案内するための壁であり、被裁断物の円滑な移動が確保されるように、移動路の途中にコロ等の回転部材を設けてもよい。
【００１７】
ハウジング背面側の固定壁１１は、被裁断物の移動路を規制するための壁であり、案内壁１０に対して所定の間隔をあけて対向配置されている。この場合、案内壁１０と固定壁１１との間隔Mは、図３に示す大人の指の厚みＮよりも大きい幅（例えば、１０ｍｍ〜２０ｍｍ程度）が好ましく、本実施例の場合は１５ｍｍに設定されている。
この固定壁１１の壁面には、刷毛状の弾性部材４が取り付けられている。この弾性部材４は、壁面から垂直方向に突出しており、その先端部の案内壁１０との距離Lは、幼児の指の厚みよりも狭い幅に設定されている。この距離Lとしては、０．５ｍｍ〜５ｍｍ程度、好ましくは１ｍｍ〜３ｍｍ程度とし、本実施例では２ｍｍに設定されている。
【００１８】
このように構成された投入口３の下方には、裁断作用を行うための一対の回転刃１２，１２が配設されている。この回転刃１２，１２は、筒状体の周面に鋭利な切断刃を多数設けたもので、２本の筒状体は、切断刃が対向するように水平に並列させて配置され、両端部においてハウジング５の両側面に設けられたフレームに回転可能に支承されている。
【００１９】
この回転刃１２，１２の上方（例えば、案内壁１０）には、センサ１３が取り付けられており、そのセンサ１３が被裁断物の通過を検知することによって、図示しない駆動モータが作動し、回転刃１２，１２が回転するようになっている。
回転刃１２，１２を回転させるための駆動モータは、ハウジング５の上面に設けられた電源スイッチ１４をＯＮにすることによって閉じる電源回路に接続されている。
【００２０】
上記回転刃１２，１２、駆動モータ、センサ１３、電源回路等の回転刃１２，１２を駆動させるための一連の機器をもって裁断部６が構成されており、この裁断部６は、ハウジング５の扉８を開けた際に表れる前壁面と、ハウジング５の扉８を開けて屑収集箱７を引き出した際に、裁断部６と屑収集箱７との間を遮蔽するシャッター１５とによって、裁断作業者が直接触れることがないように保護されている。
【００２１】
ハウジング正面の扉８の上端部には、ガイド部材１６が形成されている。このガイド部材１６は、離れた位置からの被裁断物の挿入を容易にするためのもので、２０度〜４０度程度傾斜させ、斜め上方に向けて取り付けられている。
【００２２】
上記構成のシュレッダー１の使用方法を説明する。
裁断作業を行う際には、被裁断物を導入面９又はガイド部材１６に載置する。すると、被裁断物は、導入面９から案内壁１０に向けて漏斗状の湾曲面を滑り落ちる。このとき、センサ１３によって被裁断物の通過が検知され、投入口３の下方に設けられた回転刃１２，１２が駆動する。そして、回転状態の回転刃１２，１２の間を被裁断物が通過することによって、被裁断物が回転刃１２，１２に巻き込まれながら細かく裁断される。
【００２３】
この際、導入面９や案内壁１０を通過する被裁断物に、裁断作業者の指やネクタイなどの裁断されるべきでないものが付着していた場合、固定壁１１に設けられた刷毛状の弾性部材４によって、付着物を移動中の被裁断物から引き剥がすことができる。これによって、回転刃１２，１２に巻き込まれながらシュレッダー内部へと引き込まれていく被裁断物との接触が断たれるので、指やネクタイなどの裁断されるべきでないものが、被裁断物と共にシュレッダー内部に引き込まれるといった事態を防止することができる。
【００２４】
また、この弾性部材４が取り付けられている固定壁１１と、被裁断物が接触状態で移動する案内面１０との間隔Mが、大人の指の厚みよりも大きく設定されているので、被裁断物との接触の断たれた指やネクタイ等を、投入口３から容易に引き抜くことができる。
【００２５】
なお、弾性部材4の先端部と案内壁１０との間の距離Lを回転刃１２，１２の裁断能力に応じた幅に設計しておけば、裁断可能枚数を超えて被裁断物が投入された場合に、移動中の被裁断物のうちの過多分を離反させることができる。
これによって、被裁断物を適量ずつ回転刃１２，１２に送り込むことができるようになるので、被裁断物が回転刃１２，１２に噛み込まれ、回転刃１２，１２が停止するといった事態を防止することができる。また、被裁断物が回転刃１２，１２に噛み込まれることによる回転刃１２，１２の破損を防止することもできる。
【００２６】
万一、裁断作業中に、幼児が移動中の被裁断物に手を載せ、手が被裁断物と共に投入口３に引き込まれそうになった場合でも、弾性部材４の先端部と案内面１０との距離Lが幼児の指の厚みよりも狭くなっているので、幼児の手を移動中の被裁断物から離反させることができる。
これによって、指が回転刃１２，１２に巻き込まれるのを効果的に防止することができるので、指の切断などの大事故が発生する可能性が少なくなる。
【００２７】
なお、本実施形態においては、刷毛状の弾性部材を使用したが、図４に示すように、移動方向と直交する方向に配設されたヘラ状のラバー部材であってもよいし、スポンジ状の部材であってもよい。
また、案内壁１０と固定壁１１との間の間隔Ｍは、大人の指の厚みＮよりも小さな間隔であってもよい。
さらに、シュレッダー１の投入口３は、ハウジングの側面等に設けられていてもよい。
【産業上の利用可能性】
【００２８】
本考案は、業務用及び家庭用のシュレッダーに使用することができる。
【図面の簡単な説明】
【００２９】
【図１】本考案の実施形態に係るシュレッダーを示す斜視図である。
【図２】上記シュレッダーの正面中央部を側面に平行な平面で切断した状態を示す概略断面図である。
【図３】指の厚みを示す説明図である。
【図４】上記シュレッダーの弾性部材の変形例を示す斜視図である。
【符号の説明】
【００３０】
１・・・シュレッダー
３・・・投入口
４・・・弾性部材
５・・・ハウジング
６・・・裁断部
７・・・屑収集箱
８・・・扉
９・・・導入面
１０・・・案内壁
１１・・・固定壁
１２・・・回転刃
１３・・・センサ
１４・・・電源スイッチ
１５・・・シャッター
１６・・・ガイド部材
【図１】
0003154632.tif 000003
【図２】
0003154632.tif 000004
【図３】
0003154632.tif 000005
【図４】
0003154632.tif 000006